(57)【特許請求の範囲】
【請求項１】
ハウジングに内蔵された圧縮機構を上記ハウジングを貫通する駆動軸によって駆動するとともに上記ハウジング内に吸入された低圧ガス冷媒に含まれる潤滑油のミストによって上記圧縮機構を潤滑するものであって、上記圧縮機構の外側に上記ハウジングとの隙間をシールするシヤフトシールと、同シヤフトシールの外側に上記駆動軸の外端部を上記ハウジングに軸支するグリース充填式の軸受とを具えた圧縮機において、上記シヤフトシールと上記軸受との間に限界された空間を大気に連通させる均圧穴を、上記シヤフトシールと上記軸受との間の、上記空間の上部位置のハウジングに貫通して設けたことを特徴とする圧縮機。
【発明の詳細な説明】
【０００１】
【発明の属する技術分野】
本発明は空気調和機等に搭載される圧縮機に関する。
【０００２】
【従来の技術】
この種スクロール型圧縮機の１例が図２に示されている。
１はハウジングで、カップ状本体２とこれに図示しないボルトによって締結されたフロントハウジング６とからなる。
駆動軸７は実質的に水平にフロントハウジング６を貫通し、その内端大径部7aは主軸受９を介して軸支され、外端部は軸受８を介して軸支されている。
そして、この駆動軸７とフロントハウジング６との隙間は軸受８の内側においてシヤフトシール35によってシールされている。
【０００３】
ハウジング１の内部には固定スクロール10及び旋回スクロール14等からなるスクロール型圧縮機構Ｃが内蔵されている。
固定スクロール10は端板11とその内面に立設されたうず巻状ラップ12とを備え、この端板11はボルト13によってカップ状本体２に締結されている。
端板11の外周面をカップ状本体２の内周面に密接させることによってハウジング１内が仕切られ、端板11の外側には吐出キャビティ31が限界され、端板11の内側には吸入室28が限界されている。
【０００４】
また、端板11の中央には吐出ポート29が穿設され、この吐出ポート29は吐出弁30によって開閉される。
吐出弁30の揚程は弁押さえ32によって規制され、これら吐出弁30及び弁押さえ32の一端はボルト33によって端板11に締結されている。
【０００５】
旋回スクロール14は端板15とその内面に立設されたうず巻状ラップ16とを備え、このうず巻状ラップ16は固定スクロール10のうず巻状ラップ12と実質的に同一の形状を有している。
旋回スクロール14と固定スクロール10とは相互に所定距離だけ偏心し、かつ、 180°だけ位相をずらせて図示のように噛み合わされる。
【０００６】
かくして、うず巻状ラップ12の先端面に埋設されたチップシール17が端板15の内面に密接し、うず巻状ラップ16の先端面に埋設されたチップシール18が端板11の内面に密接し、うず巻状ラップ12と16の側面が複数個所で線接触することによってうず巻の中心に対してほぼ点対称をなす複数の圧縮室19a 、19b が形成される。
【０００７】
端板15の外面中央部に突設された円筒状のボス20の内部にはドライブブッシュ21が旋回軸受23を介して回動自在に嵌装され、このドライブブッシュ21に穿設されたスライド溝24内には駆動軸７の内端に偏心して突設された偏心駆動ピン25がスライド可能に嵌合されている。
【０００８】
端板15の外面の外周縁とフロントハウジング６の内端面との間にはスラスト軸受36及びオルダムリンク26が介装されている。
旋回スクロール14の公転旋回運動による動的アンバランスを平衡させるためにドライブブッシュ21にはバランスウェイト27が固定され、駆動軸７にはバランスウェイト37が固定されている。
【０００９】
しかして、駆動軸７が回転すると、偏心駆動ピン25、スライド溝24、ドライブブッシュ21、旋回軸受23、ボス20等からなる旋回駆動機構を介して旋回スクロール14が駆動され、旋回スクロール14はオルダムリンク26によってその自転を阻止されながら公転旋回半径を半径とする円軌道上を公転旋回運動する。
【００１０】
すると、うず巻状ラップ12と16の側面の線接触部が次第にうず巻の中心方向に移動し、この結果、圧縮室19a 、19b はその容積を減少しながら、うず巻の中心方向に移動する。
これに伴って、吸入通路37を通って吸入室28へ吸入された低圧ガス冷媒がうず巻状ラップ12と16との外終端によって限界された開口部から圧縮室19a 、19b 内へ取り込まれて圧縮されながら中央の室22に至り、ここから吐出ポート29を通り吐出弁30を押し開いて吐出キャビティ31へ吐出され、そこから図示しない吐出口を経て流出する。
【００１１】
そして、吸入室28に吸入された低圧ガス冷媒に含まれているミスト状の潤滑油によって圧縮機構Ｃ、主軸受９、シヤフトシール35、ドライブブッシュ21、旋回軸受23、オルダムリンク26、スラスト軸受36等を潤滑している。
【００１２】
【発明が解決しようとする課題】
上記圧縮機の運転時、吸入室28内に吸入された低圧のガス冷媒及びこれに含まれているミスト状の潤滑油がシヤフトシール35のシール隙間を通って空間38内に入る。
そして、圧縮機の停止時、この空間38内でガス冷媒が液化して液冷媒となって溜まる。
【００１３】
圧縮機の運転を再開すると、軸受８の温度上昇により空間38内の液冷媒が蒸発することによって空間38内の圧力が上昇して空間38内の潤滑油が軸受８内に侵入してこの軸受８内のグリースを希釈させることによって劣化させるという問題があった。
【００１４】
【課題を解決するための手段】
本発明は上記課題を解決するために発明されたものであって、その要旨とするところは、次のものである。  
【００１５】
ハウジングに内蔵された圧縮機構を上記ハウジングを貫通する駆動軸によって駆動するとともに上記ハウジング内に吸入された低圧ガス冷媒に含まれる潤滑油のミストによって上記圧縮機構を潤滑するものであって、上記圧縮機構の外側に上記ハウジングとの隙間をシールするシヤフトシールと、同シヤフトシールの外側に上記駆動軸の外端部を上記ハウジングに軸支するグリース充填式の軸受とを具えた圧縮機において、上記シヤフトシールと上記軸受との間に限界された空間を大気に連通させる均圧穴を、上記シヤフトシールと上記軸受との間の、上記空間の上部位置のハウジングに貫通して設けたことを特徴とする圧縮機である。
【００１６】
【発明の実施の形態】
本発明の実施形態が図１に示されている。
軸受８とその内側に配設されたシヤフトシール35との間に限界された空間38の上部を大気に連通させる均圧穴40がフロントハウジング６を貫通するように穿設されている。
他の構成は図２に示す従来のものと同様であり、対応する部材には同じ符号を付してその説明を省略する。
【００１７】
しかして、圧縮機の運転時、吸入室28内に吸入された低圧ガス冷媒及びこれに含まれているミスト状の潤滑油がシヤフトシール35のシール隙間を通って空間38内に入る。
圧縮機の停止時、空間38内でガス冷媒は液化して液冷媒となって潤滑油と一緒に溜まるが、均圧穴40は空間38の上部に開口しているので、液冷媒及び潤滑油が均圧穴40を通って外部に溢出することはない。
【００１８】
圧縮機の運転を再開することによって軸受８の温度が上昇し空間38内の液冷媒が蒸発するが、この冷媒蒸気は均圧穴40を通って大気中に放出されるので、空間38内の圧力が上昇することはなく、従って、空間38内の潤滑油が軸受８に侵入するのを阻止できる。
【００１９】
以上、スクロール型圧縮機に本発明を適用した実施形態について説明したが、スクロール型に限らず任意の型式の圧縮機構をハウジングに内蔵してなる圧縮機に本発明を適用しうることは勿論である。
【００２０】
【発明の効果】
本発明においては、駆動軸の外端部をハウジングに軸支する軸受とその内側に配設されて駆動軸とハウジングとの隙間をシールするシヤフトシールとの間に限界された空間を大気に連通させる均圧穴を設けたため、この空間の圧力上昇を防止することができ、従って、この空間内の潤滑油が軸受に侵入するのを阻止することができるので、軸受内のグリースが潤滑油により希釈されることによって劣化するのを防止できる。
【００２１】
空間の上部に均圧穴を開口させれば、空間内の液冷媒や潤滑油が均圧穴を通って溢出するのを防止しうる。
【図面の簡単な説明】
【図１】本発明の実施形態を示す圧縮機の縦断面図である。
【図２】従来のスクロール型圧縮機の縦断面図である。
【符号の説明】
１  ハウジング
Ｃ  圧縮機構
７  駆動軸
８  軸受
35  シヤフトシール
38  空間
40  均圧穴
【図１】
0003801332.tif 000002
【図２】
0003801332.tif 000003